(57)【特許請求の範囲】
【請求項１】
加熱手段にて加熱される被加熱物を載置する載置部に被加熱物が載置されている載置状態であるか載置されていない非載置状態であるかを検出する載置状態検出手段と、
前記載置部に載置されている被加熱物の温度を検出する温度検出手段と、
加熱指令手段による加熱開始指令に基づいて前記加熱手段の加熱作動を開始させる加熱開始処理、前記加熱指令手段による加熱停止指令に基づいて前記加熱手段の加熱作動を停止させる加熱停止処理、並びに、前記載置状態検出手段の検出情報、前記温度検出手段の検出情報、及び、予め設定された加熱制御情報に基づいて、前記加熱手段の加熱作動を制御する調理用加熱処理を実行する加熱制御手段とが備えられた加熱調理器であって、
前記加熱制御手段が、
前記加熱手段を加熱作動させている加熱作動状態から加熱作動を停止させる加熱停止状態に切り換えたときに前記載置状態検出手段にて前記載置状態が検出されている場合には、前記温度検出手段の検出情報に基づいて前記載置部に載置されている被加熱物の温度が急下降する温度急下降状態が発生するか否かを判別する温度変化判別処理を実行し、且つ、前記温度変化判別処理にて前記温度急下降状態の発生が判別されると異常発生対応処理を実行するように構成されている加熱調理器。
【請求項２】
前記加熱制御手段が、
前記加熱手段を加熱作動状態から加熱停止状態に切り換えたのち次に加熱作動状態に切り換えるまでの間に前記温度急下降状態の発生を判別すれば、その発生を一回と計数して、前記温度急下降状態の発生の回数が設定回数以上になると、前記異常発生対応処理を実行するように構成されている請求項１記載の加熱調理器。
【請求項３】
前記加熱指令手段の加熱開始指令により電源入り条件が満たされると前記加熱制御手段に電力を供給し、且つ、前記加熱指令手段の加熱停止指令により電源切り条件が満たされると前記加熱制御手段への電力の供給を遮断する電源制御手段が備えられ、
前記電源制御手段が、
前記電源切り条件が満たされたときに前記載置状態検出手段にて前記非載置状態であることが検出されている場合には、前記加熱制御手段への電力の供給を遮断し、且つ、前記電源切り条件が満たされたときに前記載置状態検出手段にて前記載置状態であることが検出されている場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断するように構成されている請求項１又は２記載の加熱調理器。
【請求項４】
前記加熱指令手段の加熱開始指令により電源入り条件が満たされると前記加熱制御手段に電力を供給し、且つ、前記加熱指令手段の加熱停止指令により電源切り条件が満たされると前記加熱制御手段への電力の供給を遮断する電源制御手段が備えられ、
前記電源制御手段が、
前記電源切り条件が満たされたときに前記載置状態検出手段にて前記非載置状態であることが検出されている場合、及び、前記加熱制御手段への電力供給を開始してから前記電源切り条件が満たされるまでの間に前記載置状態検出手段にて前記非載置状態であることが検出された遅延動作解除条件が満たされている状態で前記電源切り条件が満たされた場合には、前記加熱制御手段への電力の供給を遮断し、且つ、
前記加熱制御手段への電力供給を開始してから前記電源切り条件が満たされるまでの間に前記載置状態検出手段にて前記非載置状態であることが検出されていない状態で前記電源切り条件が満たされる場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断するように構成されている請求項１又は２記載の加熱調理器。
【請求項５】
前記加熱指令手段の加熱開始指令により電源入り条件が満たされると前記加熱制御手段に電力を供給し、且つ、前記加熱指令手段の加熱停止指令により電源切り条件が満たされると前記加熱制御手段への電力の供給を遮断する電源制御手段が備えられ、
前記加熱制御手段が、
前記載置状態検出手段により前記載置状態が継続して検出されている載置状態継続時間を積算し、その載置状態継続時間の積算値が異常判別用設定時間に達すると異常対策処理を実行するように構成され、且つ、
電力の供給が遮断されているときにも前記載置状態継続時間の積算値を保持する形態で、且つ、電力が供給されているときに前記載置状態検出手段にて前記非載置状態が検出されると前記積算値をリセットする形態で、電力が供給されているときに前記載置状態検出手段により前記載置状態が検出されていると前記載置状態継続時間を積算するように構成され、
前記電源制御手段が、
前記電源切り条件が満たされたときに前記載置状態検出手段にて前記非載置状態であることが検出されている場合、及び、前記載置状態継続時間の積算値が前記異常判別用設定時間よりも短い時間に設定された遮断条件変更用設定時間以下のときに前記電源切り条件が満たされた場合には、前記加熱制御手段への電力の供給を遮断し、且つ、
前記載置状態継続時間の積算値が前記遮断条件変更用設定時間を超えていれば、前記載置状態検出手段にて前記載置状態であることが検出されているときに前記電源切り条件が満たされた場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断するように構成されている請求項１又は２記載の加熱調理器。
【請求項６】
前記加熱指令手段の加熱開始指令により電源入り条件が満たされると前記加熱制御手段に電力を供給し、且つ、前記加熱指令手段の加熱停止指令により電源切り条件が満たされると前記加熱制御手段への電力の供給を遮断する電源制御手段が備えられ、
前記加熱制御手段が、
前記載置状態検出手段により前記載置状態が継続して検出されている載置状態継続時間を積算し、その載置状態継続時間の積算値が異常判別用設定時間に達すると異常対策処理を実行するように構成され、且つ、
電力の供給が遮断されているときにも前記載置状態継続時間の積算値を保持する形態で、且つ、電力が供給されているときに前記載置状態検出手段にて前記非載置状態が検出されると前記積算値をリセットする形態で、電力が供給されているときに前記載置状態検出手段により前記載置状態が検出されていると前記載置状態継続時間を積算するように構成され、
前記電源制御手段が、
前記電源切り条件が満たされときに前記載置状態検出手段にて前記非載置状態であることが検出されている場合、前記加熱制御手段への電力供給を開始してから前記電源切り条件が満たされるまでの間に前記載置状態検出手段にて前記非載置状態であることが検出された遅延動作解除条件が満たされている状態で前記電源切り条件が満たされた場合、及び、前記載置状態継続時間の積算値が前記異常判別用設定時間よりも短い時間に設定された遮断条件変更用設定時間以下のときに前記電源切り条件が満たされた場合には、前記加熱制御手段への電力の供給を遮断し、且つ、
前記載置状態継続時間の積算値が前記遮断条件変更用設定時間を超えている状態で且つ前記加熱制御手段への電力供給を開始してから前記電源切り条件が満たされるまでの間に前記載置状態検出手段にて前記非載置状態であることが検出されていない状態で前記電源切り条件が満たされた場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断するように構成されている請求項１又は２記載の加熱調理器。
【請求項７】
前記電源制御手段が、前記載置状態継続時間の積算値が長いときの方が短いときよりも長くする形態で前記設定遅延時間を変更設定するように構成されている請求項３〜６のいずれか１項に記載の加熱調理器。
【請求項８】
前記電源制御手段が、前記電源切り条件が満たされたときから前記設定遅延時間が経過するまでの間において、前記加熱制御手段により前記温度変化判別処理にて前記温度急下降状態の発生が判別されると、前記所定の電源保持解除条件が満たされたとして前記加熱制御手段への電力の供給を遮断するように構成されている請求項３〜７のいずれか１項に記載の加熱調理器。
【請求項９】
前記電源制御手段が、
前記電源切り条件が満たされたときから前記設定遅延時間が経過するまでの間において、前記載置状態検出手段にて前記非載置状態であることが検出されると、前記所定の電源保持解除条件が満たされたとして前記加熱制御手段への電力の供給を遮断するように構成されている請求項３〜８のいずれか１項に記載の加熱調理器。
【請求項１０】
前記加熱手段が複数備えられ、
前記加熱指令手段として、前記複数の加熱手段の夫々に対して各別に前記加熱開始指令及び前記加熱停止指令を指令する複数の加熱指令手段が備えられ、
前記電源制御手段が、
前記複数の加熱指令手段の少なくともいずれか１つが加熱開始指令を指令している加熱運転状態から前記複数の加熱指令手段の全てが加熱停止指令を指令する全停止状態に切り換わると前記電源切り条件が満たされたとし、前記全停止状態から前記加熱運転状態に切り換わると前記電源入り条件が満たされたとするように構成されている請求項３〜９のいずれか１項に記載の加熱調理器。
【発明の詳細な説明】
【技術分野】
【０００１】
本発明は、加熱手段にて加熱される被加熱物を載置する載置部に被加熱物が載置されている載置状態であるか載置されていない非載置状態であるかを検出する載置状態検出手段と、前記載置部に載置されている被加熱物の温度を検出する温度検出手段と、加熱指令手段による加熱開始指令に基づいて前記加熱手段の加熱作動を開始させる加熱開始処理、前記加熱指令手段による加熱停止指令に基づいて前記加熱手段の加熱作動を停止させる加熱停止処理、並びに、前記載置状態検出手段の検出情報、前記温度検出手段の検出情報、及び、予め設定された加熱制御情報に基づいて、前記加熱手段の加熱作動を制御する調理用加熱処理を実行する加熱制御手段とが備えられた加熱調理器に関する。
【背景技術】
【０００２】
かかる加熱調理器は、前記調理用加熱処理として、例えば、前記載置状態検出手段にて前記非載置状態が検出されているときに加熱指令手段による加熱開始指令が指令されても加熱手段の加熱作動を牽制する処理や、加熱手段が加熱作動を行っているときに前記載置状態検出手段にて前記非載置状態が検出されると加熱量を低下させる処理等を行うようにしたり、又、前記温度検出手段の検出情報に基づいて被加熱物の加熱調理中に被加熱物の温度が設定温度に維持されるように加熱手段の加熱量を調整する処理等を実行するようにして、前記載置状態検出手段及び前記温度検出手段の検出情報に基づいて、被加熱物に対する適切な加熱調理を行うことができるように構成されている。
【０００３】
そして、このような加熱調理器では、被加熱物から降りかかる煮汁等が原因で載置状態検出手段が固着して故障している等の異常状態が発生することがあり、そのような異常状態を検出するための構成として、従来では、次のように構成したものがあった。
【０００４】
すなわち、前記載置状態検出手段により前記載置状態が継続して検出されている載置状態継続時間を積算するようにして、その載置状態継続時間の積算値が異常判別用設定時間に達すると、載置部から被加熱物を上げることを促す案内情報を報知し、その案内情報の報知から設定時間が経過しても前記載置状態検出手段により前記載置状態が検出される状態が継続しているときは、異常対策処理として、それ以後は加熱指令手段による加熱開始指令にかかわらず加熱作動を牽制するようにしたものがあった（例えば、特許文献１参照。）。ちなみに、前記異常判別用設定時間としては、通常では載置部に被加熱物が連続して載置される状態がほとんど起こり得ないと考えられる時間、例えば９６時間程度に設定される構成となっている。
【０００５】
ところで、この種の加熱調理器では、電源として乾電池が使用されるものでは、電力消費を極力抑制するために、加熱手段の加熱作動を行うときに加熱制御手段に電源供給を開始し、加熱手段の加熱作動を停止させると加熱制御手段への電源供給を遮断させるようにしているが、加熱手段の加熱作動を停止させた後に被加熱物が載置部から持ち上げられるという使用形態もあることから、加熱手段の加熱作動を停止させたときに前記載置状態検出手段により前記載置状態が検出されていると前記非載置状態が検出されるまで加熱制御手段に対する電源供給を継続するようにしたものがある。
【０００６】
【特許文献１】特開２００６−９７９７６号公報
【発明の開示】
【発明が解決しようとする課題】
【０００７】
上記従来構成においては、前記載置状態継続時間が前記異常判別用設定時間に達すると異常対策処理を行う構成であるから、次のような不利があった。
【０００８】
すなわち、この種の加熱調理器における使用形態として、使用者が、載置部に被加熱物を載置したのち加熱調理を開始すべく加熱手段の加熱作動を開始し、この加熱調理の実行中に被加熱物を載置部から持ち上げたり別の場所に移す等の載置状態変更作業を行わないで、調理が終了して加熱手段の加熱作動を停止したのちに被加熱物の載置状態変更操作を行うことがある。
【０００９】
そして、上記従来構成では、このような使用形態において、載置状態検出手段が正常に動作している場合には、使用者にて前記載置状態変更作業が行われることによって載置状態検出手段の非載置状態が検出されるから前記載置状態継続時間がリセットされることになるが、載置状態検出手段が固着して故障している等の異常状態であれば、載置状態検出手段は載置状態を継続するので、使用者が加熱手段の加熱作動を停止したのちに被加熱物の載置状態変更操作を行ったとしても前記載置状態継続時間の積算が継続して行われることになり、加熱手段の加熱作動を停止したのちに早期に載置状態検出手段の異常状態を検出することができないという不利がある。
【００１０】
本発明の目的は、加熱調理のために備えられる温度検出手段を有効利用することで、加熱手段の加熱作動を停止したのちに早期に載置状態検出手段の異常状態を検出することが可能な加熱調理器を提供する点にある。
【課題を解決するための手段】
【００１１】
本発明に係る加熱調理器は、加熱手段にて加熱される被加熱物を載置する載置部に被加熱物が載置されている載置状態であるか載置されていない非載置状態であるかを検出する載置状態検出手段と、
前記載置部に載置されている被加熱物の温度を検出する温度検出手段と、
加熱指令手段による加熱開始指令に基づいて前記加熱手段の加熱作動を開始させる加熱開始処理、前記加熱指令手段による加熱停止指令に基づいて前記加熱手段の加熱作動を停止させる加熱停止処理、並びに、前記載置状態検出手段の検出情報、前記温度検出手段の検出情報、及び、予め設定された加熱制御情報に基づいて、前記加熱手段の加熱作動を制御する調理用加熱処理を実行する加熱制御手段とが備えられたものであって、
その第１特徴構成は、前記加熱制御手段が、前記加熱手段を加熱作動させている加熱作動状態から加熱作動を停止させる加熱停止状態に切り換えたときに前記載置状態検出手段にて前記載置状態が検出されている場合には、前記温度検出手段の検出情報に基づいて前記載置部に載置されている被加熱物の温度が急下降する温度急下降状態が発生するか否かを判別する温度変化判別処理を実行し、且つ、前記温度変化判別処理にて前記温度急下降状態の発生が判別されると異常発生対応処理を実行するように構成されている点にある。
【００１２】
第１特徴構成によれば、前記加熱制御手段は、前記加熱手段を加熱作動させている加熱作動状態から加熱作動を停止させる加熱停止状態に切り換えたときに前記載置状態検出手段にて前記載置状態が検出されている場合には、前記温度検出手段の検出情報に基づいて載置部に載置されている被加熱物の温度が急下降する温度急下降状態が発生するか否かを判別するのである。
【００１３】
説明を加えると、前記加熱手段を加熱作動させている加熱作動状態から加熱作動を停止させる加熱停止状態に切り換えると、被加熱物は加熱手段によって加熱されて高温になっている状態から自然放熱により温度が徐々に低下するが、そのとき、温度検出手段は載置部に載置されたままの被加熱物の温度を検出するので、その検出値の変動は緩やかなものとなる。
【００１４】
しかし、加熱手段が加熱停止状態に切り換えられたのち被加熱物が持ち上げられて載置部から外されると、温度検出手段は被加熱物ではなく空気の温度を検出することになるので検出値は急激に下降していくことになるから、温度検出手段の検出情報に基づいて温度が急下降する温度急下降状態が発生したことを判別すると被加熱物が持ち上げられて載置部から外されたものと判別することができる。
【００１５】
前記載置状態検出手段にて前記載置状態が検出されているにもかかわらず、前記温度急下降状態の発生が検出されると、前記載置状態検出手段が故障しているか又は載置状態を検出する状態で固着している等の異常状態であることが想定されるので、前記加熱制御手段は、前記温度変化判別処理にて前記温度急下降状態の発生が判別されると異常発生対応処理を実行することになる。その異常発生対応処理としては、例えば、異常であることを報知する処理や加熱開始指令が指令されても加熱手段の加熱作動を牽制する処理等を実行することになり、異常状態のまま加熱調理器の使用を継続することを回避させるための安全対策を取ることが可能となる。
【００１６】
ちなみに、前記加熱手段が加熱作動を実行しているときに、前記温度判別処理を実行することも考えられるが、加熱作動を実行していときは、被加熱物が持ち上げられても温度検出手段による検出温度が加熱手段の加熱により高温を検出し続けるおそれがあり、温度急下降状態を適正に検出できないものである。
【００１７】
従って、第１特徴構成によれば、加熱調理のために備えられる温度検出手段を有効利用することで、加熱手段の加熱作動を停止したのちにおいて早期に載置状態検出手段の異常状態を検出することが可能な加熱調理器を提供できるに至った。
【００１８】
本発明の第２特徴構成は、第１特徴構成に加えて、前記加熱制御手段が、前記加熱手段を加熱作動状態から加熱停止状態に切り換えたのち次に加熱作動状態に切り換えるまでの間に前記温度急下降状態の発生を判別すれば、その発生を一回と計数して、前記温度急下降状態の発生の回数が設定回数以上になると、前記異常発生対応処理を実行するように構成されている点にある。
【００１９】
第２特徴構成によれば、前記加熱制御手段は、加熱手段を加熱作動状態から加熱停止状態に切り換えたのち次に加熱作動状態に切り換えるまでの間に前記温度急下降状態の発生を判別すれば、その発生を一回と計数する。つまり、加熱制御手段は、加熱作動状態から加熱停止状態に切り換える毎に前記温度変化判別処理を実行して、前記温度急下降状態の発生を判別するとそれを一回と計数するので、加熱手段を加熱作動状態から加熱停止状態に切り換える度に前記温度変化判別処理を繰り返し行うと、前記温度急下降状態が発生した回数を順次計数していくことになる。
【００２０】
そして、温度急下降状態の発生が１回判別されると前記異常発生対応処理を実行するようにすると、誤判別により温度急下降状態の発生が判別された場合であっても異常状態でないにもかかわらず異常発生対応処理を実行するおそれがあるが、前記温度急下降状態の発生の回数が設定回数以上になると前記異常発生対応処理を実行するように構成することで、上記したような不利のない状態で異常状態であるときにだけ前記異常発生対応処理を実行することが可能となり、使い勝手がよいものとなる。
【００２１】
従って、第２特徴構成によれば、実際には異常状態でないにもかかわらず誤判別により異常発生対応処理を実行するおそれが少ないものとなり、使い勝手がよい加熱調理器を提供できるに至った。
【００２２】
本発明の第３特徴構成は、第１特徴構成又は第２特徴構成に加えて、前記加熱指令手段の加熱開始指令により電源入り条件が満たされると前記加熱制御手段に電力を供給し、且つ、前記加熱指令手段の加熱停止指令により電源切り条件が満たされると前記加熱制御手段への電力の供給を遮断する電源制御手段が備えられ、
前記電源制御手段が、
前記電源切り条件が満たされたときに前記載置状態検出手段にて前記非載置状態であることが検出されている場合には、前記加熱制御手段への電力の供給を遮断し、且つ、前記電源切り条件が満たされたときに前記載置状態検出手段にて前記載置状態であることが検出されている場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断するように構成されている点にある。
【００２３】
第３特徴構成によれば、電源制御手段は、加熱指令手段の加熱開始指令により電源入り条件が満たされると加熱制御手段に電力を供給するが、加熱制御手段への電力供給を遮断するときには、電源切り条件が満たされたときの載置状態検出手段の検出結果に応じて電力供給を遮断するタイミングが異なることになる。
【００２４】
つまり、電源切り条件が満たされたときに載置状態検出手段にて非載置状態であることが検出されている場合には、このように載置状態検出手段にて非載置状態であることが検出されるときは載置状態検出手段が正常に作動している状態であると考えられるから、電源切り条件が満たされると加熱制御手段への電力の供給を遮断するのである。
【００２５】
一方、前記電源切り条件が満たされたときに前記載置状態検出手段にて前記載置状態であることが検出されている場合には、加熱制御手段への電力の供給を継続して、電源切り条件が満たされたときから設定遅延時間が経過する、又は、前記設定遅延時間が経過するまでの間において所定の電源保持解除条件が満たされると、加熱制御手段への電力の供給を遮断することになる。
【００２６】
つまり、載置状態検出手段にて載置状態であることが検出されているときには、載置部に被加熱物が載置されているか、又は、載置部に被加熱物が載置されていないにも拘らず載置状態検出手段が載置状態であると誤検出している、すなわち、故障等による異常が発生していることが考えられる。そこで、電源切り条件が満たされたとしても、その電源切り条件が満たされたときから設定遅延時間が経過する間だけ電力供給の遮断を遅延させるのである。
【００２７】
加熱調理器の使用形態として、使用者が、加熱調理が終了して加熱指令手段にて加熱停止指令を指令して、その直後に調理物を取り出すために被加熱物を載置部から持ち上げたり別の場所に移す等の被加熱物の載置状態変更作業を行うような使用形態で使用されたような場合であれば、前記設定遅延時間が経過するまでの間に、使用者が被加熱物を載置部から持ち上げたり別の場所に移す等の被加熱物の載置状態変更作業を行うと、そのことにより載置状態検出手段にて非載置状態であることが検出されることになる。
【００２８】
ちなみに、前記設定遅延時間としては、上記したような使用形態において、電源切り条件が満たされてから使用者が上記したような被加熱物の載置状態変更操作を行うまでの経過時間として予測される時間、例えば数分〜１０分間程度に設定されることになる。
【００２９】
そして、前記設定遅延時間が経過するまでの間において、所定の電源保持解除条件が満たされると、加熱制御手段への電力の供給を遮断する。前記所定の電源保持解除条件としては、被加熱物が載置部から外されたことが明らかであることが想定される条件が設定されることになる。例えば、載置状態検出手段にて非載置状態であることが検出されること、あるいは、上述したような前記温度変化判別処理にて前記温度急下降状態の発生が判別されること等がある。
【００３０】
つまり、使用者が加熱指令手段の加熱停止指令を指令した直後に上記したような被加熱物の載置状態変更操作を行うことがあるが、このような使用形態であっても載置状態検出手段にて非載置状態に切り換わることを検出することができ、しかも、被加熱物が載置部から外されたことが明らかであることが想定されるときには、前記設定遅延時間の経過途中であっても前記設定遅延時間が経過するまで待たずに加熱制御手段への電力の供給を遮断することで無駄な電力消費を抑制できる。
【００３１】
又、上記したように、異常が発生していない状態であれば、電源切り条件が満たされたときに載置状態検出手段にて載置状態であることが検出されても、長い時間にわたり加熱制御手段への電力の供給が継続することがないから、電力消費を抑制することができる。特に、電源として電池を備えるものであれば、電池の電力消費を抑制して電池の交換時期をできるだけ長くして使い勝手がよいものになる。
【００３２】
従って、第３特徴構成によれば、無駄な電力消費を抑制しながら、加熱指令手段にて加熱停止指令を指令したのちに被加熱物の載置状態変更作業を行うような使用形態であっても、載置状態変更作業が行われたことを検出して適正な処理を行うことが可能な加熱調理器を提供できるに至った。
【００３３】
本発明の第４特徴構成は、第１特徴構成又は第２特徴構成に加えて、前記加熱指令手段の加熱開始指令により電源入り条件が満たされると前記加熱制御手段に電力を供給し、且つ、前記加熱指令手段の加熱停止指令により電源切り条件が満たされると前記加熱制御手段への電力の供給を遮断する電源制御手段が備えられ、
前記電源制御手段が、
前記電源切り条件が満たされたときに前記載置状態検出手段にて前記非載置状態であることが検出されている場合、及び、前記加熱制御手段への電力供給を開始してから前記電源切り条件が満たされるまでの間に前記載置状態検出手段にて前記非載置状態であることが検出された遅延動作解除条件が満たされている状態で前記電源切り条件が満たされた場合には、前記加熱制御手段への電力の供給を遮断し、且つ、
前記加熱制御手段への電力供給を開始してから前記電源切り条件が満たされるまでの間に前記載置状態検出手段にて前記非載置状態であることが検出されていない状態で前記電源切り条件が満たされる場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断するように構成されている点にある。
【００３４】
第４特徴構成によれば、電源制御手段は、加熱指令手段の加熱開始指令により電源入り条件が満たされると加熱制御手段に電力を供給するが、加熱制御手段への電力供給を遮断するときには、電源切り条件が満たされたときの載置状態検出手段の検出結果に応じて電力供給を遮断するタイミングが異なる。
【００３５】
つまり、前記電源切り条件が満たされたときに前記載置状態検出手段にて前記非載置状態であることが検出されている場合には、このように載置状態検出手段にて非載置状態であることが検出されるときは載置状態検出手段が正常に作動している状態であると考えられるから、電源切り条件が満たされると加熱制御手段への電力の供給を遮断する。
【００３６】
一方、前記加熱制御手段への電力供給を開始してから前記電源切り条件が満たされるまでの間に前記載置状態検出手段にて前記非載置状態であることが検出された遅延動作解除条件が満たされている状態で前記電源切り条件が満たされた場合には、この場合においても、載置状態検出手段が正常に作動している状態であると考えられるから、電源切り条件が満たされると加熱制御手段への電力の供給を遮断する。
【００３７】
又、前記加熱制御手段への電力供給を開始してから前記電源切り条件が満たされるまでの間に前記載置状態検出手段にて前記非載置状態であることが検出されていない状態で前記電源切り条件が満たされる場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断する。
【００３８】
つまり、前記加熱制御手段への電力供給を開始してから前記電源切り条件が満たされるまでの間に前記載置状態検出手段にて前記非載置状態であることが検出されていない状態というのは、載置部に被加熱物が載置されているか、又は、載置部に被加熱物が載置されていないにも拘らず載置状態検出手段が載置状態であると誤検出している、すなわち、故障等による異常が発生していることが考えられる。そこで、電源切り条件が満たされたとしても、その電源切り条件が満たされたときから設定遅延時間が経過する間だけ電力供給の遮断を遅延させる。
【００３９】
加熱調理器の使用形態として、加熱調理が終了して電源切り条件を満たすための加熱指令手段の加熱停止指令を指令し、その直後に調理物を取り出す等のために、使用者が被加熱物を載置部から持ち上げたり別の場所に移す等の被加熱物の載置状態変更作業を行うような使用形態で使用されたような場合であれば、前記設定遅延時間が経過するまでの間に、使用者が被加熱物を載置部から持ち上げたり別の場所に移す等の被加熱物の載置状態変更作業を行うと、そのことにより載置状態検出手段にて非載置状態であることが検出される。
【００４０】
ちなみに、前記設定遅延時間としては、上記したような使用形態において、電源切り条件が満たされてから使用者が上記したような被加熱物の載置状態変更操作を行うまでの経過時間として予測される時間、例えば数分〜１０分間程度に設定される。
【００４１】
そして、前記設定遅延時間が経過するまでの間において、所定の電源保持解除条件が満たされると、加熱制御手段への電力の供給を遮断する。前記所定の電源保持解除条件としては、被加熱物が載置部から外されたことが明らかであることが想定される条件が設定されることになる。例えば、載置状態検出手段にて非載置状態であることが検出されること、あるいは、上述したような前記温度変化判別処理にて前記温度急下降状態の発生が判別されること等がある。
【００４２】
つまり、使用者が電源切り条件を満たすための加熱指令手段の加熱停止指令を指令した直後に上記したような被加熱物の載置状態変更操作を行うことがあるから、そのことを利用して、載置状態検出手段にて非載置状態に切り換わることを検出することができ、しかも、被加熱物が載置部から外されたことが明らかであることが想定されるときには、前記設定遅延時間の経過途中であっても前記設定遅延時間が経過するまで待たずに加熱制御手段への電力の供給を遮断することで無駄な電力消費を抑制できる。
【００４３】
又、加熱手段が加熱作動を実行しているときに、載置状態検出手段にて非載置状態であることが検出されるときには、設定遅延時間が経過する間だけ電力供給の遮断を遅延させることを行わずに電源切り条件が満たされると直ちに加熱制御手段への電力の供給を遮断するので、電力消費をさらに抑制することができる。
【００４４】
しかも、上記したように、異常が発生していない状態であれば、電源切り条件が満たされたときに載置状態検出手段にて載置状態であることが検出されても、長い時間にわたり加熱制御手段への電力の供給が継続することがないから、電力消費を抑制することができる。特に、電源として電池を備えるものであれば、電池の電力消費を抑制して電池の交換時期をできるだけ長くして使い勝手がよいものになる。
【００４５】
従って、第４特徴構成によれば、無駄な電力消費を抑制しながら、加熱指令手段にて加熱停止指令を指令したのちに被加熱物の載置状態変更作業を行うような使用形態であっても、載置状態変更作業が行われたことを検出して適正な処理を行うことが可能な加熱調理器を提供できるに至った。
【００４６】
本発明の第５特徴構成は、第１特徴構成又は第２特徴構成に加えて、前記加熱指令手段の加熱開始指令により電源入り条件が満たされると前記加熱制御手段に電力を供給し、且つ、前記加熱指令手段の加熱停止指令により電源切り条件が満たされると前記加熱制御手段への電力の供給を遮断する電源制御手段が備えられ、
前記加熱制御手段が、
前記載置状態検出手段により前記載置状態が継続して検出されている載置状態継続時間を積算し、その載置状態継続時間の積算値が異常判別用設定時間に達すると異常対策処理を実行するように構成され、且つ、
電力の供給が遮断されているときにも前記載置状態継続時間の積算値を保持する形態で、且つ、電力が供給されているときに前記載置状態検出手段にて前記非載置状態が検出されると前記積算値をリセットする形態で、電力が供給されているときに前記載置状態検出手段により前記載置状態が検出されていると前記載置状態継続時間を積算するように構成され、
前記電源制御手段が、
前記電源切り条件が満たされたときに前記載置状態検出手段にて前記非載置状態であることが検出されている場合、及び、前記載置状態継続時間の積算値が前記異常判別用設定時間よりも短い時間に設定された遮断条件変更用設定時間以下のときに前記電源切り条件が満たされた場合には、前記加熱制御手段への電力の供給を遮断し、且つ、
前記載置状態継続時間の積算値が前記遮断条件変更用設定時間を超えていれば、前記載置状態検出手段にて前記載置状態であることが検出されているときに前記電源切り条件が満たされた場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断するように構成されている点にある。
【００４７】
第５特徴構成によれば、加熱制御手段は、前記載置状態検出手段により前記載置状態が継続して検出されている載置状態継続時間を積算し、その載置状態継続時間の積算値が異常判別用設定時間に達すると異常対策処理を実行するように構成されている。又、電力が供給されているときに、載置状態検出手段により載置部に被加熱物が載置されている載置状態が検出されると、その載置状態が継続して検出されている載置状態継続時間を積算するが、電力が供給されているときに載置状態検出手段にて載置部に被加熱物が載置されていない非載置状態が検出されると載置状態継続時間の積算値をリセットする。
【００４８】
つまり、前記載置状態検出手段により前記載置状態が継続して検出されている載置状態継続時間の積算値が異常判別用設定時間に達するほど長い時間になると、載置部に被加熱物が載置されているか、又は、載置部に被加熱物が載置されていないにも拘らず載置状態検出手段が載置状態であると誤検出している、すなわち、故障等による異常が発生していることが考えられる。そこで、そのようなときは異常対策処理を実行するのである。異常対策処理としては、使用者に被加熱物を持ち上げることを促したり、その後の加熱作動を牽制する等の処理がある。このように異常対策処理を実行することにより、異常状態のまま使用を継続することを防止できる。
【００４９】
そして、前記載置状態検出手段により前記載置状態が継続して検出されている載置状態継続時間を積算し、その載置状態継続時間の積算値が異常判別用設定時間に達すると異常対策処理を実行するように構成されていることから、前記温度判別処理を行っても被加熱物が持ち上げられたか否かを適切に検出し難い状態であっても、載置状態検出手段の異常を適切に検出することが可能となる。
【００５０】
説明を加えると、例えば載置部に被加熱物を載置したまま加熱手段の加熱作動を停止したのちに少し時間が経ち被加熱物の温度が低下してから被加熱物が持ち上げられるような使用形態であれば、そのときは被加熱物が持ち上げられることがあっても、前記温度判別処理による判別では温度急下降状態が検出され難い、言い換えると、載置状態検出手段が故障しているときには被加熱物が持ち上げられたことを検出できないおそれがある。
しかし、前記載置状態継続時間を積算し、その載置状態継続時間の積算値が異常判別用設定時間に達すると異常対策処理を実行する構成とすることで、上述したような使用形態であっても、載置状態検出手段が正常に作動しているときには載置状態継続時間の積算が継続することを回避しながら、故障等による異常が発生している場合には、載置状態継続時間の積算が継続されるので積算値が異常判別用設定時間に達することで異常対策処理を適切に実行することができるのである。
【００５１】
そして、電源制御手段は、加熱指令手段の加熱開始指令により電源入り条件が満たされると加熱制御手段に電力を供給するが、加熱制御手段への電力供給を遮断するときには、電源切り条件が満たされたときの載置状態検出手段の検出結果に応じて電力供給を遮断するタイミングが異なる。
【００５２】
つまり、載置状態検出手段にて非載置状態であることが検出されているときに加熱指令手段の加熱停止指令により電源切り条件が満たされると、このように載置状態検出手段にて非載置状態であることが検出されるときは載置状態検出手段が正常に作動している状態であると考えられるから、電源切り条件が満たされると加熱制御手段への電力の供給を遮断する。
【００５３】
一方、載置状態継続時間の積算値が前記異常判別用設定時間よりも短い時間に設定された遮断条件変更用設定時間以下のときに電源切り条件が満たされると、加熱制御手段への電力の供給を遮断する。又、前記載置状態継続時間の積算値が前記遮断条件変更用設定時間を超えていれば、載置状態検出手段にて載置状態であることが検出されているときに電源切り条件が満たされた場合には、加熱制御手段への電力の供給を継続して、電源切り条件が満たされたときから設定遅延時間が経過する、又は、前記設定遅延時間が経過するまでの間において所定の電源保持解除条件が満たされると、加熱制御手段への電力の供給を遮断する。
【００５４】
説明を加えると、前記載置状態検出手段にて載置状態であることが検出されているときには、載置部に被加熱物が載置されているか、又は、載置部に被加熱物が載置されていないにも拘らず載置状態検出手段が載置状態であると誤検出している、すなわち、故障等による異常が発生していることが考えられるが、載置状態継続時間の積算値が異常判別用設定時間よりも短い時間に設定された遮断条件変更用設定時間以下であれば、載置状態検出手段にて載置状態であることが検出されているときに電源切り条件が満たされると、加熱制御手段への電力の供給を遮断する。
【００５５】
異常が発生しておらず載置部に被加熱物が載置されている状態で電源切り条件が満たされるような場合であれば、加熱調理が繰り返し行われるときに、加熱調理の実行中において使用者が被加熱物の載置状態変更作業を行うことにより、載置状態継続時間の積算値がリセットされることが考えられるから、載置状態継続時間の積算値が遮断条件変更用設定時間よりも短い時間であれば、電源切り条件が満たされると加熱制御手段への電力の供給を遮断することにより電力消費を極力抑制することができる。
【００５６】
一方、前記載置状態継続時間の積算値が前記遮断条件変更用設定時間を超えていれば、載置状態検出手段にて載置状態であることが検出されているときに電源切り条件が満たされると、その電源切り条件が満たされたときから設定遅延時間が経過する間だけ電力供給の遮断を遅延させる。
【００５７】
加熱調理器の使用形態として、加熱調理が終了して電源切り条件を満たすための加熱指令手段の加熱停止指令を指令してから前記設定遅延時間が経過するまでの間に、使用者が被加熱物を載置部から持ち上げたり別の場所に移す等の被加熱物の載置状態変更作業を行うような使用形態で使用されたような場合であれば、前記設定遅延時間が経過するまでの間に所定の電源保持解除条件が満たされ、加熱制御手段への電力の供給を遮断することになる。
【００５８】
前記所定の電源保持解除条件としては、被加熱物が載置部から外されたことが明らかであることが想定される条件が設定されることになる。例えば、載置状態検出手段にて非載置状態であることが検出されること、あるいは、上述したような前記温度変化判別処理にて前記温度急下降状態の発生が判別されること等がある。
【００５９】
ちなみに、前記設定遅延時間としては、電源切り条件が満たされてから一般的な使用形態で被加熱物が持ち上げられたり移動させる処理が行われるまでの経過時間として予測される時間、例えば数分〜１０分間程度に設定される。
【００６０】
つまり、使用者が加熱指令手段の加熱停止指令を指令した直後に上記したような被加熱物の載置状態変更操作を行うことがあるが、このような使用形態であっても被加熱物の載置状態変更操作があったことを検出することができる。又、加熱停止指令を指令した直後ではなく、被加熱物の温度が低下した後に被加熱物の載置状態変更操作を行うことがあっても前記設定遅延時間が経過するまでの間であれば、被加熱物の載置状態変更操作があったことを検出することができるのである。
しかも、被加熱物が載置部から外されたことが明らかであることが想定されるときには、前記設定遅延時間の経過途中であっても前記設定遅延時間が経過するまで待たずに加熱制御手段への電力の供給を遮断することで無駄な電力消費を抑制できる。
【００６１】
前記設定遅延時間が経過するまでの間において載置部に被加熱物が載置されていないことが検出されると載置状態継続時間の積算値をリセットすることになる。その結果、載置部に被加熱物が載置されていないにも拘らず不必要な異常対策処理を実行することを回避することが可能である。つまり、使用者が電源切り条件を満たすための加熱指令手段の加熱停止指令を指令した直後に上記したような被加熱物の載置状態変更操作を行うことがあるから、そのことを利用して、異常が発生していない場合においては、使用者の操作により載置状態継続時間の積算値がリセットされる。
【００６２】
一方、所定の電源保持解除条件が満たされることなく設定遅延時間が経過すると、載置状態継続時間の積算値をリセットすることなく加熱制御手段への電力の供給を遮断するが、このときは、載置状態検出手段が故障する等、異常が発生していることも考えられるから、載置状態継続時間の積算値はそのまま保持しておき、次回の電力供給開始の際にその積算値に加算して載置状態継続時間を積算する。
【００６３】
上記したように、異常が発生していない状態であれば、電源切り条件が満たされたときに載置状態検出手段にて載置状態であることが検出されても、長い時間にわたり加熱制御手段への電力の供給が継続することがないから、電力消費を抑制することができる。特に、電源として電池を備えるものであれば、電池の電力消費を抑制して電池の交換時期をできるだけ長くして使い勝手がよいものになる。
【００６４】
従って、第５特徴構成によれば、異常が発生しているおそれがあるときは異常対策処理を行うことで異常状態のままで使用を継続することを防止することが可能であり、しかも、異常が発生していない状態ではそのことを的確に検出して無駄な電力消費を抑制することが可能となる加熱調理器を提供できるに至った。
【００６５】
本発明の第６特徴構成は、第１特徴構成又は第２特徴構成に加えて、前記加熱指令手段の加熱開始指令により電源入り条件が満たされると前記加熱制御手段に電力を供給し、且つ、前記加熱指令手段の加熱停止指令により電源切り条件が満たされると前記加熱制御手段への電力の供給を遮断する電源制御手段が備えられ、
前記加熱制御手段が、
前記載置状態検出手段により前記載置状態が継続して検出されている載置状態継続時間を積算し、その載置状態継続時間の積算値が異常判別用設定時間に達すると異常対策処理を実行するように構成され、且つ、
電力の供給が遮断されているときにも前記載置状態継続時間の積算値を保持する形態で、且つ、電力が供給されているときに前記載置状態検出手段にて前記非載置状態が検出されると前記積算値をリセットする形態で、電力が供給されているときに前記載置状態検出手段により前記載置状態が検出されていると前記載置状態継続時間を積算するように構成され、
前記電源制御手段が、
前記電源切り条件が満たされときに前記載置状態検出手段にて前記非載置状態であることが検出されている場合、前記加熱制御手段への電力供給を開始してから前記電源切り条件が満たされるまでの間に前記載置状態検出手段にて前記非載置状態であることが検出された遅延動作解除条件が満たされている状態で前記電源切り条件が満たされた場合、及び、前記載置状態継続時間の積算値が前記異常判別用設定時間よりも短い時間に設定された遮断条件変更用設定時間以下のときに前記電源切り条件が満たされた場合には、前記加熱制御手段への電力の供給を遮断し、且つ、
前記載置状態継続時間の積算値が前記遮断条件変更用設定時間を超えている状態で且つ前記加熱制御手段への電力供給を開始してから前記電源切り条件が満たされるまでの間に前記載置状態検出手段にて前記非載置状態であることが検出されていない状態で前記電源切り条件が満たされた場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断するように構成されている点にある。
【００６６】
第６特徴構成によれば、加熱制御手段は、前記載置状態検出手段により前記載置状態が継続して検出されている載置状態継続時間を積算し、その載置状態継続時間の積算値が異常判別用設定時間に達すると異常対策処理を実行するように構成されている。又、電力が供給されているときに、載置状態検出手段により載置部に被加熱物が載置されている載置状態が検出されると、その載置状態が継続して検出されている載置状態継続時間を積算するが、電力が供給されているときに載置状態検出手段にて載置部に被加熱物が載置されていない非載置状態が検出されると載置状態継続時間の積算値をリセットする。
【００６７】
つまり、前記載置状態検出手段により前記載置状態が継続して検出されている載置状態継続時間の積算値が異常判別用設定時間に達するほど長い時間になると、載置部に被加熱物が載置されているか、又は、載置部に被加熱物が載置されていないにも拘らず載置状態検出手段が載置状態であると誤検出している、すなわち、故障等による異常が発生していることが考えられる。そこで、そのようなときは異常対策処理を実行するのである。異常対策処理としては、使用者に被加熱物を持ち上げることを促したり、その後の加熱作動を牽制する等の処理がある。このように異常対策処理を実行することにより、異常状態のまま使用を継続することを防止できる。
【００６８】
説明を加えると、例えば載置部に被加熱物を載置したまま加熱手段の加熱作動を停止したのちに少し時間が経ち被加熱物の温度が低下してから被加熱物が持ち上げられるような使用形態であれば、そのときは被加熱物が持ち上げられることがあっても、前記温度判別処理による判別では温度急下降状態が検出され難い、言い換えると、載置状態検出手段が故障しているときには被加熱物が持ち上げられたことを検出できないおそれがある。
しかし、前記載置状態継続時間を積算し、その載置状態継続時間の積算値が異常判別用設定時間に達すると異常対策処理を実行する構成とすることで、上述したような使用形態であっても、載置状態検出手段が正常に作動しているときには載置状態継続時間の積算が継続することを回避しながら、故障等による異常が発生している場合には、載置状態継続時間の積算が継続されるので積算値が異常判別用設定時間に達することで異常対策処理を適切に実行することができるのである。
【００６９】
そして、電源制御手段は、加熱指令手段の加熱開始指令により電源入り条件が満たされると加熱制御手段に電力を供給するが、加熱制御手段への電力供給を遮断するときには、電源切り条件が満たされたときの載置状態検出手段の検出結果に応じて電力供給を遮断するタイミングが異なる。
【００７０】
つまり、載置状態検出手段にて非載置状態であることが検出されているときに加熱指令手段の加熱停止指令により電源切り条件が満たされると、このように載置状態検出手段にて非載置状態であることが検出されるときは載置状態検出手段が正常に作動している状態であると考えられるから、電源切り条件が満たされると加熱制御手段への電力の供給を遮断する。
【００７１】
一方、前記加熱制御手段への電力供給を開始してから前記電源切り条件が満たされるまでの間に前記載置状態検出手段にて前記非載置状態であることが検出された遅延動作解除条件が満たされている状態で前記電源切り条件が満たされた場合には、この場合においても、載置状態検出手段が正常に作動している状態であると考えられるから、電源切り条件が満たされると加熱制御手段への電力の供給を遮断する。
【００７２】
そして、載置状態継続時間の積算値が前記異常判別用設定時間よりも短い時間に設定された遮断条件変更用設定時間以下のときに電源切り条件が満たされると、加熱制御手段への電力の供給を遮断する。又、前記載置状態継続時間の積算値が前記遮断条件変更用設定時間を超えている状態で且つ前記加熱制御手段への電力供給を開始してから前記電源切り条件が満たされるまでの間に前記載置状態検出手段にて前記非載置状態であることが検出されていない状態で前記電源切り条件が満たされた場合には、前記加熱制御手段への電力の供給を継続して、前記電源切り条件が満たされたときから設定遅延時間が経過する、又は、前記設定遅延時間が経過するまでの間において所定の電源保持解除条件が満たされると、前記加熱制御手段への電力の供給を遮断する。
【００７３】
説明を加えると、前記載置状態検出手段にて載置状態であることが検出されているときには、載置部に被加熱物が載置されているか、又は、載置部に被加熱物が載置されていないにも拘らず載置状態検出手段が載置状態であると誤検出している、すなわち、故障等による異常が発生していることが考えられるが、載置状態継続時間の積算値が異常判別用設定時間よりも短い時間に設定された遮断条件変更用設定時間以下であれば、載置状態検出手段にて載置状態であることが検出されているときに電源切り条件が満たされると、加熱制御手段への電力の供給を遮断する。
【００７４】
異常が発生しておらず載置部に被加熱物が載置されている状態で電源切り条件が満たされるような場合であれば、加熱調理が繰り返し行われるときに、加熱調理の実行中において使用者が被加熱物の載置状態変更作業を行うことにより、載置状態継続時間の積算値がリセットされることが考えられるから、載置状態継続時間の積算値が異常判別用設定時間よりも短い時間であれば、電源切り条件が満たされると加熱制御手段への電力の供給を遮断することにより電力消費を極力抑制する。
【００７５】
一方、前記載置状態継続時間の積算値が前記遮断条件変更用設定時間を超えている状態で且つ前記加熱制御手段への電力供給を開始してから前記電源切り条件が満たされるまでの間に前記載置状態検出手段にて前記非載置状態であることが検出されていない状態で前記電源切り条件が満たされた場合には、その電源切り条件が満たされたときから設定遅延時間が経過する間だけ電力供給の遮断を遅延させる。
【００７６】
加熱調理器の使用形態として、加熱調理が終了して電源切り条件を満たすための加熱指令手段の加熱停止指令を指令し、その直後に調理物を取り出す等のために、使用者が被加熱物を載置部から持ち上げたり別の場所に移す等の被加熱物の載置状態変更作業を行うような使用形態で使用されたような場合であれば、前記設定遅延時間が経過するまでの間に、使用者が被加熱物を載置部から持ち上げたり別の場所に移す等の被加熱物の載置状態変更作業を行うと、そのことにより載置状態検出手段にて非載置状態であることが検出される。
【００７７】
ちなみに、前記設定遅延時間としては、上記したような使用形態において、電源切り条件が満たされてから使用者が上記したような被加熱物の載置状態変更操作を行うまでの経過時間として予測される時間、例えば数分〜１０分間程度に設定される。
【００７８】
つまり、使用者が加熱指令手段の加熱停止指令を指令した直後に上記したような被加熱物の載置状態変更操作を行うことがあるが、このような使用形態であっても被加熱物の載置状態変更操作があったことを検出することができる。しかも、被加熱物が載置部から外されたことが明らかであることが想定されるときには、前記設定遅延時間の経過途中であっても前記設定遅延時間が経過するまで待たずに加熱制御手段への電力の供給を遮断することで無駄な電力消費を抑制できる。
【００７９】
そして、前記設定遅延時間が経過するまでの間において、所定の電源保持解除条件が満たされると、加熱制御手段への電力の供給を遮断する。前記所定の電源保持解除条件としては、被加熱物が載置部から外されたことが明らかであることが想定される条件が設定されることになる。例えば、載置状態検出手段にて非載置状態であることが検出されること、あるいは、上述したような前記温度変化判別処理にて前記温度急下降状態の発生が判別されること等がある。
【００８０】
つまり、使用者が加熱指令手段の加熱停止指令を指令した直後に上記したような被加熱物の載置状態変更操作を行うことがあるが、このような使用形態であっても載置状態検出手段にて非載置状態に切り換わることを検出することができ、しかも、被加熱物が載置部から外されたことが明らかであることが想定されるときには、前記設定遅延時間の経過途中であっても前記設定遅延時間が経過するまで待たずに加熱制御手段への電力の供給を遮断することで無駄な電力消費を抑制できる。
【００８１】
前記設定遅延時間が経過するまでの間において載置状態検出手段にて非載置状態であることが検出されると、載置状態継続時間の積算値をリセットすることになる。その結果、載置状態検出手段にて異常が発生していないにも拘らず不必要な異常対策処理を実行することを回避することが可能である。つまり、使用者が電源切り条件を満たすための加熱指令手段の加熱停止指令を指令した直後に上記したような被加熱物の載置状態変更操作を行うことがあるから、そのことを利用して、異常が発生していない場合においては、使用者の操作により載置状態継続時間の積算値がリセットされる。
【００８２】
上記したように、異常が発生していない状態であれば、電源切り条件が満たされたときに載置状態検出手段にて載置状態であることが検出されても、長い時間にわたり加熱制御手段への電力の供給が継続することがないから、電力消費を抑制することができる。特に、電源として電池を備えるものであれば、電池の電力消費を抑制して電池の交換時期をできるだけ長くして使い勝手がよいものになる。そして、載置状態検出手段が故障する等、異常が発生している場合には、電力供給が遮断されたのちにもリセットすることなく載置状態継続時間を積算することで、載置状態継続時間の積算値が異常判別用設定時間に達するまで積算されて異常対策処理を実行する。
【００８３】
従って、第６特徴構成によれば、異常が発生しているおそれがあるときは異常対策処理を行うことで異常状態のままで使用を継続することを防止することが可能であり、異常が発生していないことが明らかな状態では電力消費を継続させないようにして電力消費をさらに抑制することが可能となる加熱調理器を提供できるに至った。
【００８４】
本発明の第７特徴構成は、第３特徴構成〜第６特徴構成のいずれかに加えて、前記電源制御手段が、前記載置状態継続時間の積算値が長いときの方が短いときよりも長くする形態で前記設定遅延時間を変更設定するように構成されている点にある。
【００８５】
第７特徴構成によれば、前記載置状態継続時間の積算値が長いときの方が短いときよりも前記設定遅延時間を長くするように変更設定するので、前記載置状態継続時間の積算値が前記異常判別用設定時間よりも充分短い状態であれば、電力供給を遅延させる時間を短めにして電力消費を抑制することができる。
【００８６】
そして、載置状態継続時間の積算値が長くなって異常判別用設定時間に近づいている状態であれば、設定遅延時間を長くすることで、被加熱物が持ち上げられたり別の場所に移す処理が行われることで載置状態検出手段により非載置状態を検出する確率を高めて、できるだけ載置状態継続時間の積算値をリセットさせるようにして、異常が発生していないときには無駄な異常対策処理を実行することを回避させ易いものになる。
【００８７】
本発明の第８特徴構成は、第３特徴構成〜第７特徴構成のいずれかに加えて、前記電源制御手段が、前記電源切り条件が満たされたときから前記設定遅延時間が経過するまでの間において、前記加熱制御手段により前記温度変化判別処理にて前記温度急下降状態の発生が判別されると、前記所定の電源保持解除条件が満たされたとして前記加熱制御手段への電力の供給を遮断するように構成されている点にある。
【００８８】
第８特徴構成によれば、前記電源切り条件が満たされたときから前記設定遅延時間が経過するまでの間において前記温度急下降状態の発生が判別されると、載置状態検出手段が異常状態となっていることが明らかであるから、そのときは前記加熱制御手段への電力の供給を遮断することにより無駄な電力消費を抑制することができる。
【００８９】
本発明の第９特徴構成は、第３特徴構成〜第８特徴構成のいずれかに加えて、前記電源制御手段が、前記電源切り条件が満たされたときから前記設定遅延時間が経過するまでの間において、前記載置状態検出手段にて前記非載置状態であることが検出されると、前記所定の電源保持解除条件が満たされたとして前記加熱制御手段への電力の供給を遮断するように構成されている点にある。
【００９０】
第９特徴構成によれば、前記電源切り条件が満たされたときから前記設定遅延時間が経過するまでの間において、前記載置状態検出手段にて前記非載置状態であることが検出されると、載置状態検出手段が正常に動作しており、被加熱物が載置部から上方に持ち上げられた状態であるから、そのときは前記加熱制御手段への電力の供給を遮断することにより無駄な電力消費を抑制することができる。
【００９１】
本発明の第１０特徴構成は、第３特徴構成〜第９特徴構成のいずれかに加えて、前記加熱手段が複数備えられ、前記加熱指令手段として、前記複数の加熱手段の夫々に対して各別に前記加熱開始指令及び前記加熱停止指令を指令する複数の加熱指令手段が備えられ、前記電源制御手段が、前記複数の加熱指令手段の少なくともいずれか１つが加熱開始指令を指令している加熱運転状態から前記複数の加熱指令手段の全てが加熱停止指令を指令する全停止状態に切り換わると前記電源切り条件が満たされたとし、前記全停止状態から前記加熱運転状態に切り換わると前記電源入り条件が満たされたとするように構成されている点にある。
【００９２】
第１０特徴構成によれば、複数の加熱手段の夫々に対して各別に前記加熱開始指令及び前記加熱停止指令を指令する複数の加熱指令手段が備えられ、電源制御手段は、全ての加熱手段が加熱停止している全停止状態から複数の加熱指令手段の少なくともいずれか１つが加熱開始指令を指令して加熱運転状態に切り換わると、加熱制御手段への電源の供給が必要な状態であるから電源入り条件が満たされたとする。又、電源制御手段は、前記加熱運転状態から前記全停止状態に切り換わると、加熱制御手段への電源の供給は不要であるから電源切り条件が満たされたとするのである。
【００９３】
例えば、電源切り条件及び電源入り条件を指令するための専用の電源入切操作手段等を設ける場合であれば、加熱手段の加熱停止指令を指令したのちに、電源入切操作手段の操作による電源切り指令を指令する操作を忘れることも考えられ、そのことにより加熱制御手段への電源の供給が不測に長く継続してしまうおそれがあるが、加熱指令手段を有効利用して、電源切り条件及び電源入り条件を満たすことを判断するようにしたことによって、加熱手段の加熱停止を指令することにより電源切り条件が満たされるので、操作忘れに起因して加熱制御手段への電源の供給が長く続くことによる電力消費を抑制できる利点がある。又、電源切り条件及び電源入り条件を指令するための専用の電源入切操作手段等を設ける必要がなく、構成を簡素化できる利点もある。
【発明を実施するための最良の形態】
【００９４】
〔第１実施形態〕
以下、図面に基づいて、本発明に係る加熱調理器の第１実施形態を説明する。
図１及び図２に示すように、ガスコンロは、３つのコンロバーナ１ａ、１ｂ、１ｃ、及び、グリルバーナ２を備えるグリル部３を備えたビルトインタイプのガスコンロにて構成されており、３つのコンロバーナ１ａ、１ｂ、１ｃは標準バーナ１ａと、小バーナ１ｂと、高火力バーナ１ｃとによって構成されている。
【００９５】
又、図１に示すように、グリル部３の燃焼排ガスを排気するためのグリル排気口４が形成され、ガラス製のトッププレート５にてガスコンロ上面が覆われており、このトッププレート５の上部に、標準バーナ１ａ、小バーナ１ｂ及び高火力バーナ１ｃの夫々に対応して、夫々にて加熱する被加熱物（鍋など）を載置する載置部としての五徳６が載置支持されている。トッププレート５の裏面側に、標準バーナ１ａ、小バーナ１ｂ及び高火力バーナ１ｃ夫々の火力、並びに、グリルバーナ２の点消火状態を表示する天面表示部７０が、トッププレート５を通して視認可能なように設けられている。
【００９６】
前記天面表示部７０は、標準バーナ１ａ、小バーナ１ｂ及び高火力バーナ１ｃ夫々に対応する３個の天面火力表示部７１と、グリルバーナ２に対応するグリル燃焼表示部７３とから構成され、前記天面火力表示部７１は、複数のＬＥＤランプをレベルメータとして用い燃焼量（火力）の大きさに応じた数のＬＥＤランプを点灯させて表示する構成となっている。又、前記グリル燃焼表示部７３は１個のＬＥＤランプにて構成され、グリルバーナ２を点火させるとＬＥＤランプを点灯表示する構成となっている。
【００９７】
図１及び図２に示すように、ガスコンロ前側面には、標準バーナ１ａ、小バーナ１ｂ及び高火力バーナ１ｃとグリルバーナ２との点火及び消火や火力調節と各種の設定とを指令する手動操作部Ｓが設けられ、マイクロコンピュータを備えて各種の制御を実行するように構成された運転制御部Ｈが手動操作部Ｓにて指令された運転状態に基づいて、標準バーナ１ａ、小バーナ１ｂ及び高火力バーナ１ｃとグリルバーナ２を制御するように構成されている。
【００９８】
図２に示すように、標準バーナ１ａ、小バーナ１ｂ及び高火力バーナ１ｃの夫々には、点火プラグ７及び着火状態を検出する熱電対８が設けられており、グリルバーナ２は上面バーナ２ａと左右一対の下面バーナ２ｂ、２ｃとを備えた両面バーナにて構成されて、上面バーナ２ａ及び左右一対の下面バーナ２ｂ、２ｃの夫々にも点火プラグ７及び着火状態を検出するための熱電対８等が備えられている。
【００９９】
又、標準バーナ１ａ及び高火力バーナ１ｃの夫々には、図２及び図３に示すように（但し、図３では標準バーナ１ａについて示す）、五徳６に被加熱物が載置されている載置状態であるか載置されていない非載置状態であるかを検出する載置状態検出手段としての載置状態検出部Ｄが設けられている。
この載置状態検出部Ｄは、五徳６に載置される被加熱物の底部が当接するのに伴って押し下げられて前記載置状態を検出するための載置状態検出位置とその載置状態検出位置よりも上方であって前記非載置状態を検出するための非載置状態検出位置とにわたって上下動自在で、且つ、前記非載置状態検出位置に復帰付勢される上下可動部９ｂを備えた伸縮機構９と、その上下可動部９ｂが前記載置状態検出位置に位置する状態を検出することにより前記載置状態を検出し、且つ、上下可動部９ｂが前記非載置状態検出位置に位置する状態を検出することにより前記非載置状態を検出する検出部としての被加熱物検出スイッチ１０を備えて構成されている。
【０１００】
前記伸縮機構９は、図３に示すように、ケーシングに対して固定された案内支持部９ａに上下可動部９ｂをバネ（図示省略）にて上方に復帰付勢した状態で上下方向に移動自在に支持して構成されている。そして、五徳６上に被加熱物が載置されていないときは、上下可動部９ｂが、復帰付勢力により、上端が五徳６における被加熱物を受け止める上端部よりも突出する状態の前記非載置状態検出位置に復帰する伸状態となり、被加熱物検出スイッチ１０がオフとなる。又、五徳６上に被加熱物が載置されるに伴って、上下可動部９ｂが被加熱物の底部により押し下げられて前記載置状態検出位置に位置する縮状態となり、被加熱物検出スイッチ１０がオンとなる。
【０１０１】
つまり、被加熱物検出スイッチ１０がオンの状態で、上下可動部９ｂが前記載置状態検出位置に位置する状態が検出されて前記載置状態が検出され、被加熱物検出スイッチ１０がオフの状態で、上下可動部９ｂが前記非載置状態検出位置に位置する状態が検出されて前記非載置状態が検出される構成となっている。尚、前記小バーナ１ｂには、標準バーナ１ａ高火力バーナ１ｃ夫々と同様に前記伸縮機構９が設けられるが、被加熱物検出スイッチ１０は設けられていない。
【０１０２】
図２に示すように、標準バーナ１ａ、小バーナ１ｂ及び高火力バーナ１ｃの夫々に対応する伸縮機構９の上下可動部９ｂの上端部内には、温度センサ１１が設けられ、五徳６上に載置された被加熱物の底部が上下可動部９ｂの上端に当接した状態で、この温度センサ１１により被加熱物の温度を検出するように構成されている。又、図示を省略するが、グリル部３には、グリル庫内の温度を検出する温度センサが設けられている。
【０１０３】
前記標準バーナ１ａ、小バーナ１ｂ及び高火力バーナ１ｃとグリルバーナ２とへのガス供給構成について説明すると、図２に示すように、元ガス供給路１２には元ガス電磁弁１３が設けられ、この元ガス供給路１２から、標準バーナ用分岐路１４ａ、小バーナ用分岐路１４ｂ、高火力バーナ用分岐路１４ｃ、グリルバーナ用分岐路１４ｄの４系統に分岐しており、グリルバーナ２へのグリルバーナ用分岐路１４ｄは、さらに、上面バーナ用の分岐路と下面バーナ用分岐路とに分岐してそれらの分岐路には夫々、オリフィスｏｆ付きの流路１５と開閉式電磁弁１６を備えたバイパス路１７が設けられている。そして、標準バーナ用分岐路１４ａ、小バーナ用分岐路１４ｂ、高火力バーナ用分岐路１４ｃ、及び、グリルバーナ用分岐路１４ｄの夫々には、ステッピングモータ１９の駆動によってガス量を調整して前記各バーナの燃焼量（火力）を調整する流量制御弁１８が備えられている。尚、図２中、符号２７は、ステッピングモータ１９による燃焼量調整状態を検出するフィードバックセンサである。
【０１０４】
ガスコンロ前側面には、標準バーナ１ａ、小バーナ１ｂ及び高火力バーナ１ｃの夫々に対応して、バーナ１ａ、１ｂ、１ｃの点火指令を指令する点火指令状態とバーナ１ａ、１ｂ、１ｃの消火指令を指令する消火指令状態とに切り換え自在な点消火指令部２８、バーナ１ａ、１ｂ、１ｃの燃焼量（火力）の調節を指令する人為操作式の燃焼量調節操作部２９、及び、調理の設定を指令する設定入力パネル５０が設けられ、並びに、グリルバーナ２に対して、点火及び消火や火力調整を指令するための設定入力パネル６０が設けられている。設定入力パネル５０及び設定入力パネル６０は開閉式になっており、設定入力パネル６０には、グリルバーナ２に対し点火及び消火を指令するための点消火スイッチ６１（図４参照）が備えられている。そして、前記設定入力パネル５０には図示はしないが、例えば、天ぷら油の温度等、被加熱物の温度が予め設定した設定温度になるようにバーナの燃焼量（火力）を自動調整するための自動調理モードを設定する自動調理用の設定スイッチが設けられている。
【０１０５】
前記点消火指令部２８は、詳述はしないが、円筒状の回転操作部３１が押し込み位置と突出位置とにわたり各位置で保持自在に出退自在に設けられ、突出位置に切り換えると内部に備えられた点消火スイッチ３２（図４参照）がオンして点火を指令し、押し込み位置に切り換えると点消火スイッチ３２がオフして消火を指令する構成となっている。又、燃焼量調節操作部２９は、突出位置にある回転操作部３１を回転操作することでバーナの燃焼量の変更調整を行うように構成されている。ちなみに、標準バーナ１ａ及び高火力バーナ１ｃの夫々は、その燃焼量を５段階の設定燃焼量に調節できるように構成され、又、小バーナ１ｃは、その燃焼量を３段階の設定燃焼量に調節できるように構成されている。
【０１０６】
そして、運転制御部Ｈは、前記点消火スイッチ３２、６１の点火指令に基づいて各バーナのうちの対応するものを点火させ、前記点消火スイッチ３２、６１の消火指令に基づいて対応するバーナを消火させるように各バーナの作動を制御し、燃焼量調節操作部２９の指令に基づいて燃料供給量を調整するように流量制御弁１８の作動を制御するよう構成されている。
【０１０７】
又、図２に示すように、各種情報を音声にて報知する報知手段としてのスピーカ３７が備えられており、運転制御部Ｈは、各種情報をこのスピーカ３７により報知させるように構成されている。
【０１０８】
従って、この実施形態では、標準バーナ１ａ及び高火力バーナ１ｃの夫々が加熱手段Ａを構成し、点消火スイッチ３２が加熱指令手段を構成しており、前記運転制御部Ｈを利用して、点消火スイッチ３２による加熱開始指令に基づいて加熱手段Ａの加熱作動を開始させる加熱開始処理、点消火スイッチ３２による加熱停止指令に基づいて加熱手段Ａの加熱作動を停止させる加熱停止処理、並びに、載置状態検出部の検出情報、温度センサ１１の検出情報、及び、予め設定された加熱制御情報に基づいて、加熱手段Ａの加熱作動を制御する調理用加熱処理を実行する加熱制御手段１００が構成される。
【０１０９】
そして、前記加熱制御手段１００が、加熱手段Ａの加熱作動を停止させている状態で且つ載置状態検出部Ｄにて載置状態が検出されているときに、温度センサ１１の検出情報に基づいて五徳６に載置されている被加熱物の温度が急下降する温度急下降状態であるか否かを判別する温度変化判別処理を実行し、且つ、前記温度変化判別処理の判別結果に基づいて異常状態であるか否かを判別する異常判別処理を実行するように構成されている。
【０１１０】
さらに、加熱制御手段１００は、加熱手段Ａを加熱作動状態から加熱停止状態に切り換えたのち次に加熱作動状態に切り換えるまでの間に前記温度急下降状態の発生を判別すれば、その発生を一回と計数して、前記温度急下降状態の発生の回数が設定回数以上になると、前記異常発生対応処理を実行するように構成されている。
【０１１１】
又、このコンロでは、点消火スイッチ３２の指令により電源入り条件が満たされると加熱制御手段１００に電力を供給し、且つ、点消火スイッチ３２の指令により電源切り条件が満たされると加熱制御手段１００への電力の供給を遮断する電源制御手段ＰＫが備えられ、この電源制御手段ＰＫが、前記電源切り条件が満たされたときに載置状態検出部Ｄにて前記非載置状態であることが検出されている場合には、加熱制御手段１００への電力の供給を遮断し、且つ、前記電源切り条件が満たされたときに載置状態検出部Ｄにて前記載置状態であることが検出されている場合には、加熱制御手段１００への電力の供給を継続して、前記電源切り条件が満たされたときから設定遅延時間が経過する、又は、前記設定遅延時間が経過するまでの間において所定の電源保持解除条件が満たされると、加熱制御手段１００への電力の供給を遮断するように構成されている。
【０１１２】
そして、電源制御手段ＰＫは、前記電源切り条件が満たされたときから前記設定遅延時間が経過するまでの間において、加熱制御手段１００により前記温度変化判別処理にて前記温度急下降状態の発生が判別されると、前記所定の電源保持解除条件が満たされたとして前記加熱制御手段１００への電力の供給を遮断するように構成され、さらに、前記電源切り条件が満たされたときから前記設定遅延時間が経過するまでの間において、載置状態検出部Ｄにて前記非載置状態であることが検出されると、前記所定の電源保持解除条件が満たされたとして前記加熱制御手段１００への電力の供給を遮断するように構成されている。
【０１１３】
前記設定遅延時間としては、電力消費量が多くならないように、操作にて電源切り条件が満たされてから被加熱物が持ち上げられたり移動させるのに要すると予測される時間、例えば数分〜１０分間程度に設定することになる。
【０１１４】
又、加熱制御手段１００は、電源が供給されている間は、載置状態検出部Ｄにより前記載置状態が継続して検出されている載置状態継続時間を積算し、その載置状態継続時間の積算値Ｔｋが異常判別用設定時間Ｔｓに達すると異常対策処理を実行するように構成されている。すなわち、電力の供給が遮断されているときにも前記載置状態継続時間の積算値Ｔｋを保持する形態で、且つ、電力が供給されているときに載置状態検出部Ｄにて前記非載置状態が検出されると前記積算値Ｔｋをリセットする形態で、前記載置状態継続時間を積算するように構成されている。電力の供給が遮断されているときにも積算値を保持するために不揮発性メモリＭｅが備えられ、運転制御部Ｈは、電力の供給が遮断される直前にそのときの積算値をこの不揮発性メモリＭｅに書き込み記憶させるよう構成されている。
【０１１５】
次に具体的な構成について説明する。
図４に示すように、電源４０から運転制御部Ｈに電力を供給する電力供給状態と電力供給を遮断する遮断状態とに切換自在な断続切換回路４１が設けられ、この断続切換回路４１は、各コンロバーナに対する３個の点消火スイッチ３２及びグリルバーナ２に対する１個の点消火スイッチ６１の合計４個の点消火スイッチの少なくともいずれか１つがオン操作されると、電源入り条件が満たされたとして、遮断状態から電力供給状態に切り換わるように構成されている。
【０１１６】
前記断続切換回路４１は、電源４０から運転制御部Ｈへの電源供給線を断続するスイッチングトランジスタ４２と、このスイッチングトランジスタ４２をオン状態とオフ状態とに切り換える駆動回路４３とを備えて構成され、運転制御部Ｈに電力が供給されずに動作していない状態であっても、いずれかの点消火スイッチ３２、６１がオンすなわち加熱開始指令を指令すると、スイッチングトランジスタ４２が導通状態に切り換わるように構成され、運転制御部Ｈに電力を供給する状態に切り換わる構成となっている。
【０１１７】
そして、前記各点消火スイッチ３２、６１の操作情報は運転制御部Ｈにも入力されており、運転制御部Ｈは、前記４個の点消火スイッチ３２、６１の全てのものがオフするまでスイッチングトランジスタ４２を導通状態に維持すべく駆動回路４３に対して電源保持信号を出力するように構成されている。つまり、運転制御部Ｈは４個の点消火スイッチ３２、６１の全てのものがオフ、すなわち加熱停止指令を指令する状態になると、電源切り条件が満たされたとして電源保持信号の出力を停止するのである。
従って、運転制御部Ｈを利用して電源供給状態を管理する電源管理手段１０１が構成され、この電源管理手段１０１及び断続切換回路４１により電源制御手段ＰＫが構成されている。
【０１１８】
次に、前記運転制御部Ｈの制御について説明を加える。
尚、本発明に係る制御は、前記標準バーナ１ａ及び前記高火力バーナ１ｃを対象にして実行することになるが、標準バーナ１ａ及び高火力バーナ１ｃ夫々を対象にした運転制御部Ｈの制御動作は同様であるので、以下では、標準バーナ１ａを対象にした制御動作について説明して、高火力バーナ１ｃを対象にした制御動作の説明は省略する。
又、前記元ガス電磁弁１３は、標準バーナ１ａ、小バーナ１ｂ、高火力バーナ１ｃ及びグリルバーナ２のうちの少なくとも一つに対応する点消火スイッチ３２、６１がＯＮ状態のときは開弁し、標準バーナ１ａ、小バーナ１ｂ、高火力バーナ１ｃ及びグリルバーナ２夫々に対応する点消火スイッチ３２、６１の全てがＯＦＦ状態のときは、閉弁状態に維持するので、以下の説明では、この元ガス電磁弁１３の制御については説明を省略する。
【０１１９】
以下、図５〜図７に示すフローチャートに基づいて、前記運転制御部Ｈの制御動作を説明する。
標準バーナ１ａに対応する点消火スイッチ３２がオン操作されて電源４０から電力が供給されると、運転制御部Ｈは、前記不揮発性メモリＭｅの記憶内容を読み込み、断続切換回路４１に電源入状態を保持するための電源保持信号を出力する（ステップ１、２）。そして、載置状態検出部Ｄが前記載置状態、すなわち被加熱物有りの状態を検出しているときは、その載置状態が継続して検出されている載置状態継続時間を積算し、前記非載置状態、すなわち被加熱物が無い状態を検出しているときは、後述するような温度判別処理の判別結果によりカウントされる固着判定用カウンタのカウント値Ｎｋを零にリセットし、且つ、前記載置状態継続時間の積算値Ｔｋを零にリセットする（ステップ３、４、５−１、５−２）。
【０１２０】
前記載置状態継続時間の積算値Ｔｋが異常判別用設定時間Ｔｓに達していないときは、固着判定用カウンタのカウント値Ｎｋが設定回数Ｎｓ以上であるか否かを判別し、カウント値Ｎｋが設定回数Ｎｓ以上でないときは、標準バーナについての燃焼制御を実行する（ステップ６−１、６−２、７）。
【０１２１】
この燃焼制御は、図６に示すように、流量制御弁１８を開弁させ、点火プラグ７に駆動信号を与えて点火作動させることにより、標準バーナ１ａを点火させる点火処理を行う（ステップ７１、７２）。そして、自動調理モードが設定されていなければ、標準バーナ１ａの燃焼量が燃焼量調節操作部２９の指令に応じた燃焼量になるように流量制御弁１８の開度を調節し（ステップ７３−１、７３−２）、自動調理モードが設定されているときは、温度センサ１１にて検出される被加熱物の温度が予め設定されている設定温度になるように流量制御弁１８の開度を調節することにより標準バーナ１ａの燃焼量（火力）を自動調整する（ステップ７３−３）。そして、消火指令があれば消火処理を実行する（ステップ７４、７９）。
【０１２２】
燃焼作動を実行中に載置状態検出部Ｄが被加熱物無しの状態を検出すると、標準バーナ１ａの燃焼量を前記５段階の火力のうちの最下段の火力よりも１段上の火力に対応する不存在時燃焼量に低下させるように流量制御弁１８の開度を調節し、標準バーナ１ａに対応する前面火力表示部３６及び天面火力表示部７１を同様に点滅させることにより、五徳６に被加熱物が載置されていない状態で標準バーナ１ａが燃焼しているという異常状態であることを報知する（ステップ７５、７６、７７）。
【０１２３】
そして、前記載置状態検出部Ｄが被加熱物無しの状態を検出してからの経過時間が不存在判別時間に達するまでは、標準バーナ１ａの燃焼量を前記不存在時燃焼量に低下させている状態を継続し（ステップ７８）、その間において、載置状態検出部Ｄが被加熱物有りの状態を検出すると元の火力に戻して燃焼状態を継続し、前記不存在判別時間が経過しても載置状態検出部Ｄが被加熱物無しの状態を検出している場合は消火処理を実行する（ステップ７９）。
【０１２４】
標準バーナ１ａについて消火処理を実行したときに、全ての点消火スイッチ３２、６１がオフ状態になっていれば電源切り条件が満たされたと判断するが、そのとき、標準バーナ１ａの載置状態検出部Ｄが被加熱物無しの状態を検出しているときは、載置状態継続時間の積算値Ｔｋを零にリセットし、且つ、固着判定用カウンタのカウント値Ｎｋを零にリセットして、そのリセットした値を不揮発性メモリＭｅに書き込み、断続切換回路４１に出力している電源入状態を保持するための電源保持信号の出力を停止して電源入り状態に保持する動作を解除し、断続切換回路４１を遮断状態に切り換えて電源をオフする（ステップ８、９、１０−１、１０−２、１２、１３）。
【０１２５】
標準バーナ１ａについて消火処理を実行したときに、全ての点消火スイッチ３２、６１がオフ状態になっており電源切り条件が満たされたと判断したときに、載置状態検出部Ｄが被加熱物有りの状態を検出しているときは、電源入り状態を保持する動作を継続して行い、電源切り条件が満たされたと判断してから設定遅延時間（例えば３分間）が経過するまでの間において、温度センサ１１の検出情報に基づいて五徳６に載置されている被加熱物の温度が急下降する温度急下降状態であるか否かを判別する温度変化判別処理を実行する（ステップ１１−１、１１−２）。
【０１２６】
次に、前記温度変化判別処理について説明する。
図７に示すように、計測単位時間（１秒間）が経過する毎に温度センサ１１にて被加熱物の現在温度を検出し、設定個数分（例えば１０個分）のデータが得られるまで順次検出された検出値を書き込み記憶する（ステップ８０、８１、８２）。設定個数分の検出値が記憶されると、最新の検出値と記憶されている過去の検出値とを対比して温度差が設定量以上であるか否かを判別する処理を設定個数分のデータについて夫々行い、少なくともいずれか１つの検出値との温度差が設定量以上であれば、被加熱物の温度が急下降する温度急下降状態であると判定する（ステップ８３、８４、８６）。設定個数分のデータについて全て判別処理が終了しても温度差が設定量以上であることが判別されなければ、記憶されている設定個数分の検出値のデータのうち最も古いデータを消去して最新の検出値を書き込み記憶する状態で記憶データを更新する（ステップ８５、８７）。そして、ステップ８０〜８７の処理が新たな検出値が検出される毎に、すなわち計測単位時間（１秒間）が経過する毎に行われることになる。上記したような温度急下降状態が判定されるのは被加熱物としての鍋等が五徳６に載置されている状態から持ち上げられて外方に外されたことを示し、温度急下降状態が判定されなければ被加熱物が五徳６に載置されたままの状態であることを示している。
【０１２７】
前記温度判別処理にて温度急下降状態であると判定されたときは、異常発生計数用カウンタのカウント値Ｎｋをカウントアップして、そのカウント値を不揮発性メモリＭｅに書き込み、断続切換回路４１に出力している電源入状態を保持するための電源保持信号の出力を停止して電源入り状態に保持する動作を解除し、断続切換回路４１を遮断状態に切り換えて電源をオフする（ステップ１１−３、１１−４、１２、１３）。
【０１２８】
ステップ６−１において前記載置状態継続時間の積算値Ｔｋが異常判別用設定時間Ｔｓに達していると判別されると、前記異常対策処理として、報知手段としてのスピーカ３７にて「鍋を上げてください」等の五徳６から被加熱物を上げることを促す案内情報を報知し、且つ、標準バーナ１ａに対応する前面火力表示部３６及び天面火力表示部７１を同様に点滅させる報知作動を実行する（ステップ１４）。そして、その報知を開始してからの経過時間が報知用設定時間Ｔｍ（例えば４８時間）を経過しても載置状態検出部Ｄが被加熱物有りの状態を検出しているときは（ステップ１５）、異常発生対応処理として、スピーカ３７に「故障が発生しました」等の故障情報を報知させ、且つ、標準バーナ１ａに対応する前面火力表示部３６及び天面火力表示部７１を同様に点滅させて異常が発生したことを報知する警報処理を実行し、点消火スイッチ３２の指令による操作は受け付けない状態となる（ステップ１６、１７）。このステップ１７の操作を受け付けない状態にさせる処理が加熱作動牽制処理に対応する。
【０１２９】
又、ステップ６−２において、前記異常発生計数用カウンタのカウント値Ｎｋが設定回数Ｎｓ（例えば３回）以上であることが判別されると、異常発生対応処理として、スピーカ３７に「故障が発生しました」等の故障情報を報知させ、且つ、標準バーナ１ａに対応する前面火力表示部３６及び天面火力表示部７１を同様に点滅させて異常が発生したことを報知する警報処理を実行し、さらに、この状態では点消火スイッチ３２の指令による操作は受け付けない状態となる（ステップ１６、１７）。すなわち、このステップ６−２の処理が異常判別処理に対応し、ステップ１６、１７が異常発生対応処理に対応する。
【０１３０】
上述したような制御を実行する加熱調理器では、五徳６に被加熱物を載置してから標準バーナ１ａに点火して加熱調理を行い、調理終了後に標準バーナ１ａを消火してから被加熱物を別の場所に移すという使用形態で使用されたときには、図８に示すように、点消火スイッチ３２、６１の夫々にて消火が指令されて電源切り条件が満たされてから前記設定遅延時間が経過するまでの間に、被加熱物を別の場所に移す作業により載置状態検出部Ｄが被加熱物無しの状態を検出して載置状態継続時間の積算値Ｔｋが零にリセットされることが繰り返し行われ、異常対策処理や異常発生対応処理が行われることが回避される。
【０１３１】
一方、前記温度急下降状態が検出されることなく、載置状態検出部Ｄの故障等により五徳６に被加熱物が載置されていないにも拘わらず被加熱物有りの状態が検出される異常が発生しているときは、図９に示すように、点消火スイッチ３２、６１にて消火が指令されて電源切り条件が満たされてから前記設定遅延時間が経過しても、載置状態検出部Ｄが被加熱物無しの状態を検出することがないので、載置状態継続時間の積算値Ｔｋの積算は継続して行われる。
【０１３２】
そして、図１０に示すように、電源切り条件が満たされたと判断してから設定遅延時間が経過するまでの間において、被加熱物有りの状態が検出される状態が維持される状態で前記温度判別処理にて前記温度急下降状態が検出されると、この場合は、載置状態検出部Ｄが載置状態のままで固着している故障状態であることが想定されるから、異常発生計数用カウンタのカウント値Ｎｋをカウントアップして、そのカウント値を不揮発性メモリＭｅに書き込み、断続切換回路４１を遮断状態に切り換えて電源をオフする（ステップ１１−３、１１−４、１２、１３）。
【０１３３】
上述の説明では、標準バーナ１ａにおける制御について説明したが、運転制御部Ｈは高火力バーナ１ｃについても同様な制御を行うことになる。
【０１３４】
〔第２実施形態〕
次に、本発明に係る加熱調理器の第２実施形態を説明する。
この第２実施形態では、前記電源制御手段ＰＫの構成が異なる他は、第１実施形態の構成と同じであるから、異なる構成についてのみ説明し、同じ構成については説明は省略する。
【０１３５】
すなわち、この実施形態では、前記電源制御手段ＰＫが、前記電源切り条件が満たされたときに前記載置状態検出部Ｄにて前記非載置状態であることが検出されている場合、及び、前記加熱制御手段１００への電力供給を開始してから前記電源切り条件が満たされるまでの間に前記載置状態検出部Ｄにて前記非載置状態であることが検出された遅延動作解除条件が満たされている状態で前記電源切り条件が満たされた場合には、前記加熱制御手段１００への電力の供給を遮断し、且つ、前記加熱制御手段１００への電力供給を開始してから前記電源切り条件が満たされるまでの間に前記載置状態検出部Ｄにて前記非載置状態であることが検出されていない状態で前記電源切り条件が満たされる場合には、前記加熱制御手段１００への電力の供給を継続して、前記電源切り条件が満たされたときから設定遅延時間が経過する、又は、前記設定遅延時間が経過するまでの間において所定の電源保持解除条件が満たされると、前記加熱制御手段１００への電力の供給を遮断するように構成されている。
【０１３６】
又、この実施形態では、前記加熱制御手段１００は、電力が供給されているときに前記載置状態検出部Ｄにて前記非載置状態が検出されて前記積算値をリセットした場合に、その積算値をリセットしてから電力供給が遮断されるまでの間は前記載置状態検出部Ｄにより前記載置状態が検出されることがあっても前記載置状態継続時間の積算を実行しないように構成されている。
【０１３７】
具体的な構成について説明すると、電源入り条件が満たされて前記運転制御部Ｈに電力が供給され、前記載置状態検出部Ｄにより前記載置状態が検出されて前記載置状態継続時間の積算を実行しているときの制御は第１実施形態と同じであるが、運転制御部Ｈに電力供給が開始され始めてから前記電源切り条件が満たされるまでの間に載置状態検出部Ｄにて前記非載置状態であることが検出されたときの制御が第１実施形態とは異なる。
【０１３８】
すなわち、運転制御部Ｈが次のような制御を実行する。
図１１に示すように、電力供給が開始され始めてから前記電源切り条件が満たされるまでの間に載置状態検出部Ｄにて前記非載置状態であることが検出されると、前記固着判定用カウンタのカウント値Ｎｋを零にリセットし、前記載置状態継続時間の積算値Ｔｋを零にリセットした後は（ステップ５−１、５−２）、全ての点消火スイッチ３２，６１がオフ状態になり電源切り条件が満たされるまで、電源入状態に保持したまま前記第１実施形態における燃焼制御と同様な燃焼制御を実行し（ステップ１８、１９、２０）、電源切り条件が満たされると、リセットした積算値を不揮発性メモリＭｅに書き込み、電源を遮断する（ステップ１２、１３）。
【０１３９】
このように制御を実行することで、運転制御部Ｈへの電力供給を開始してから前記電源切り条件が満たされるまでの間に、一度でも載置状態検出部Ｄにて前記非載置状態であることが検出されていると電力の供給が遮断されることになる。又、積算値をリセットしてから電力供給が遮断されるまでの間は載置状態検出部Ｄにより前記載置状態が検出されることがあっても前記載置状態継続時間の積算を実行しないことになる。
【０１４０】
〔第３実施形態〕
次に、本発明に係る加熱調理器の第３実施形態を説明する。
この第３実施形態では、前記電源制御手段ＰＫの構成が異なる他は、第１実施形態の構成と同じであるから、異なる構成についてのみ説明し、同じ構成については説明は省略する。
【０１４１】
すなわち、この実施形態では、前記電源制御手段ＰＫが、前記電源切り条件が満たされたときに前記載置状態検出部Ｄにて前記非載置状態であることが検出されている場合、及び、前記載置状態継続時間の積算値が前記異常判別用設定時間よりも短い時間に設定された遮断条件変更用設定時間以下のときに前記電源切り条件が満たされた場合には、前記加熱制御手段１００への電力の供給を遮断し、且つ、前記載置状態継続時間の積算値が前記遮断条件変更用設定時間を超えていれば、前記載置状態検出部Ｄにて前記載置状態であることが検出されているときに前記電源切り条件が満たされた場合には、前記加熱制御手段１００への電力の供給を継続して、前記電源切り条件が満たされたときから設定遅延時間が経過する、又は、前記設定遅延時間が経過するまでの間において所定の電源保持解除条件が満たされると、前記加熱制御手段１００への電力の供給を遮断するように構成されている。
【０１４２】
具体的な構成について説明すると、電源入り条件が満たされて運転制御部Ｈに電力が供給されているときの制御は第１実施形態と同じであるが、全ての点消火スイッチがオフ状態になり電源切り条件が満たされたと判断したときの制御が第１実施形態とは異なる。
【０１４３】
すなわち、運転制御部Ｈが次のような制御を実行する。
図１２に示すように、全ての点消火スイッチ３２，６１がオフ状態になり電源切り条件が満たされたと判断したとき、載置状態検出部Ｄが被加熱物無しの状態を検出しているとき、及び、載置状態検出部Ｄにて前記載置状態であることが検出されていても、そのとき前記載置状態継続時間の積算値Ｔｋが前記異常判別用設定時間Ｔｓ（３０時間）よりも短い時間（例えば、２０時間）に設定された遮断条件変更用設定時間Ｔｈ以下であれば、そのときの載置状態継続時間の積算値Ｔｋを不揮発性メモリＭｅに書き込み、断続切換回路４１を遮断状態に切り換えて電源をオフする（ステップ３１、３４、３６、３３）。つまり、電力供給を継続せずに加熱制御手段１００への電力の供給を遮断するのである。
【０１４４】
そして、電源切り条件が満たされたと判断したとき、載置状態検出部Ｄが被加熱物有りの状態を検出しており、しかも、そのとき前記載置状態継続時間の積算値Ｔｋが遮断条件変更用設定時間Ｔｈを超えていれば、電源供給を継続して行い、電源切り条件が満たされたと判断してから設定遅延時間（例えば３分間）が経過しても載置状態検出部Ｄが被加熱物有りの状態を検出している状態が継続しているときは、そのときの載置状態継続時間の積算値Ｔｋを不揮発性メモリＭｅに書き込み、断続切換回路４１を遮断状態に切り換えて電源をオフする（ステップ３４、３５−１、３６、３３）。尚、前記設定遅延時間が経過するまでの間に温度判別処理を行い、温度急下降状態を判別すると、異常発生計数用カウンタのカウント値Ｎｋをカウントアップして、そのカウント値を不揮発性メモリＭｅに書き込み、断続切換回路４１を遮断状態に切り換えて電源をオフする（ステップ３５−１、３５−２、３５−３、３５−４、３６、３３）点は第１実施形態と同じである。
【０１４５】
〔第４実施形態〕
次に、本発明に係る加熱調理器の第４実施形態を説明する。
この第４実施形態では、前記電源制御手段ＰＫの構成が異なる他は、第３実施形態の構成と同じであるから、異なる構成についてのみ説明し、同じ構成については説明は省略する。
【０１４６】
すなわち、この実施形態では、前記電源制御手段ＰＫが、前記電源切り条件が満たされときに前記載置状態検出部Ｄにて前記非載置状態であることが検出されている場合、前記加熱制御手段１００への電力供給を開始してから前記電源切り条件が満たされるまでの間に前記載置状態検出部Ｄにて前記非載置状態であることが検出された遅延動作解除条件が満たされている状態で前記電源切り条件が満たされた場合、及び、前記載置状態継続時間の積算値が前記異常判別用設定時間よりも短い時間に設定された遮断条件変更用設定時間以下のときに前記電源切り条件が満たされた場合には、前記加熱制御手段１００への電力の供給を遮断し、且つ、前記載置状態継続時間の積算値が前記遮断条件変更用設定時間を超えている状態で且つ前記加熱制御手段１００への電力供給を開始してから前記電源切り条件が満たされるまでの間に前記載置状態検出部Ｄにて前記非載置状態であることが検出されていない状態で前記電源切り条件が満たされた場合には、前記加熱制御手段１００への電力の供給を継続して、前記電源切り条件が満たされたときから設定遅延時間が経過する、又は、前記設定遅延時間が経過するまでの間において所定の電源保持解除条件が満たされると、前記加熱制御手段１００への電力の供給を遮断するように構成されている。
【０１４７】
具体的な構成について説明すると、電源入り条件が満たされて運転制御部Ｈに電力が供給され、前記載置状態検出部Ｄにより前記載置状態が検出されて前記載置状態継続時間の積算を実行しているときの制御は第３実施形態と同じであるが、運転制御部Ｈに電力供給が開始され始めてから前記電源切り条件が満たされるまでの間に載置状態検出部Ｄにて前記非載置状態であることが検出されたときの制御が第３実施形態とは異なる。
【０１４８】
すなわち、運転制御部Ｈが次のような制御を実行する。
図１３に示すように、前記加熱制御手段１００への電力供給を開始してから前記電源切り条件が満たされるまでの間に載置状態検出部Ｄにて前記非載置状態であることが検出されると、前記固着判定用カウンタのカウント値Ｎｋを零にリセットし、前記載置状態継続時間の積算値Ｔｋを零にリセットした後は（ステップ５−１、５−２）、全ての点消火スイッチ３２，６１がオフ状態になり電源切り条件が満たされるまで、電源入状態に保持したまま前記第１実施形態における燃焼制御と同様な燃焼制御を実行し（ステップ１８，１９，２０）、電源切り条件が満たされると、リセットした積算値を不揮発性メモリＭｅに書き込み、電源を遮断する（ステップ３６，３３）。
【０１４９】
このように制御を実行することで、前記加熱制御手段１００への電力供給を開始してから前記電源切り条件が満たされるまでの間に一度でも載置状態検出部Ｄにて前記非載置状態であることが検出されていると、前記電源切り条件が満たされると前記加熱制御手段１００への電力の供給が遮断されることになる。又、積算値をリセットしてから電力供給が遮断されるまでの間は前記載置状態検出部により前記載置状態が検出されることがあっても前記載置状態継続時間の積算を実行しないことになる。
【０１５０】
〔別実施形態〕
次に別実施形態を説明する。
【０１５１】
（イ）上記各実施形態では、前記加熱制御手段が、前記載置状態検出手段により前記載置状態が継続して検出されている載置状態継続時間を積算し、その載置状態継続時間の積算値が異常判別用設定時間に達すると異常対策処理を実行するように構成するものを例示したが、このような構成に代えて、前記載置状態継続時間を積算することなく、前記温度変化判別処理にて前記温度急下降状態の発生が判別された場合にのみ異常発生対応処理を実行するように構成するものでもよい。
【０１５２】
（ロ）上記各実施形態では、前記電源切り条件としての全ての点消火スイッチ３２，６１がオフ状態になったときから設定遅延時間が経過するまでの間において、前記温度変化判別処理を実行するようにしたが、このような構成に代えて、電源切り条件が満たされていなくても、載置状態検出部と温度センサとを備える標準バーナ及び高火力バーナについて、いずれかのバーナが燃焼作動を停止したときに前記温度変化判別処理を実行する構成としてもよい。又、標準バーナ、小バーナ及び高火力バーナの全てのバーナに載置状態検出部と温度センサとを備えて前記各バーナについて前記温度変化判別処理を実行する構成としてもよく、加熱手段としては３つのバーナに限らず１つのバーナだけを備えるものでもよい。
【０１５３】
（ハ）上記各実施形態では、前記加熱手段を加熱作動状態から加熱停止状態に切り換えたのち次に加熱作動状態に切り換えるまでの間に前記温度急下降状態の発生を判別すれば、その発生を一回と計数して、前記温度急下降状態の発生の回数が設定回数以上になると、前記異常発生対応処理を実行するようにしたが、前記温度急下降状態の発生の回数が１回であっても前記異常発生対応処理を実行する構成としてもよい。
【０１５４】
（ニ）上記各実施形態では、前記電源制御手段ＰＫが、前記設定遅延時間として、前記載置状態継続時間の積算値の長さに拘らず予め設定した一定時間に設定するものを例示したが、このような構成に限らず、前記電源制御手段ＰＫが、前記載置状態継続時間の積算値が長いときの方が短いときよりも長くする形態で前記設定遅延時間を変更設定するように構成するものでもよい。
【０１５５】
例えば、前記載置状態継続時間の積算値が短い間は前記設定遅延時間が３分間であるが、前記載置状態継続時間の積算値が長くなるほど前記設定遅延時間を長くさせて最大１０分間程度にまで長くさせるように前記設定遅延時間を漸増させる形態で変更設定するようにしたり、前記設定遅延時間を段階的に長い時間に変更させる形態で変更設定するようにしてもよい。又、前記載置状態継続時間の積算値が前記異常判別用設定時間よりも短い時間に設定した遮断条件変更用設定時間以下であれば前記設定遅延時間を零に設定し、前記載置状態継続時間の積算値が前記遮断条件変更用設定時間を超えると、前記載置状態継続時間の積算値が長くなるほど前記設定遅延時間を長い時間に変更させる形態で変更設定するようにしてもよい。
【０１５６】
（ホ）上記各実施形態では、前記運転制御部Ｈを利用して電源供給状態を管理する電源管理手段１０１が構成され、この電源管理手段１０１及び断続切換回路４１により電源制御手段ＰＫが構成されるものを例示したが、このような構成に代えて、前記電源管理手段１０１が前記加熱制御手段１００を構成する運転制御部Ｈとは異なる別の制御装置を用いて構成されるものでもよく、この別の制御装置が、前記加熱制御手段１００からの情報に基づいて断続切換回路４１を管理する構成とするものでもよい。
【０１５７】
（ヘ）上記各実施形態では、前記加熱指令手段として、前記複数の加熱手段の夫々に対して各別に加熱指令手段が備えられ、複数の加熱指令手段の少なくともいずれか１つが加熱開始指令を指令している加熱運転状態から前記複数の加熱指令手段の全てが加熱停止指令を指令する全停止状態に切り換わると前記電源切り条件が満たされたとし、前記全停止状態から前記加熱運転状態に切り換わると前記電源入り条件が満たされたとするように構成したが、運転制御部Ｈに電源の入切を指令するための専用の電源スイッチを備えて、電源スイッチの入り操作により前記電源入り条件が満たされたとし、電源スイッチの切り操作により前記電源切り条件が満たされたとする構成としてもよい。
【０１５８】
（ト）上記各実施形態では、前記載置状態検出部として、上下可動部と被加熱物検出スイッチとを備える構成としたが、例えば、前記上下可動部の両横側方に振り分けて配置した磁石とリードスイッチとで構成するものでもよく、反射型あるいは透過型の光センサ等にて構成することが可能である。
【図面の簡単な説明】
【０１５９】
【図１】コンロの斜視図
【図２】コンロの制御構成を示すブロック図
【図３】コンロのバーナ付近の縦断面図
【図４】運転制御部への電力供給構成を示す図
【図５】制御動作のフローチャートを示す図
【図６】制御動作のフローチャートを示す図
【図７】制御動作のフローチャートを示す図
【図８】タイミングチャート
【図９】タイミングチャート
【図１０】タイミングチャート
【図１１】制御動作のフローチャートを示す図
【図１２】制御動作のフローチャートを示す図
【図１３】制御動作のフローチャートを示す図
【符号の説明】
【０１６０】
６      載置部
１１    温度検出手段
３２    加熱指令手段
１００  加熱制御手段
Ａ      加熱手段
Ｄ      載置状態検出手段
ＰＫ    電源制御手段
【図１】
0005080950.tif 000002
【図２】
0005080950.tif 000003
【図３】
0005080950.tif 000004
【図４】
0005080950.tif 000005
【図５】
0005080950.tif 000006
【図６】
0005080950.tif 000007
【図７】
0005080950.tif 000008
【図８】
0005080950.tif 000009
【図９】
0005080950.tif 000010
【図１０】
0005080950.tif 000011
【図１１】
0005080950.tif 000012
【図１２】
0005080950.tif 000013
【図１３】
0005080950.tif 000014